(57)【要約】【課題】針金等によるサムターンの回転を阻止でき、しかも、従来同様の回転のみによる操作を可能とする。【解決手段】既存サムターン２３を覆う後付け防犯サムターン２１において、扉の屋内面２５ａと化粧リング３７との間に挟持される弧状板５１と、弧状板５１に係合手段を介して取り付けられることで既存サムターン２３を覆い、頂部に支持穴５５を有する略円錐筒状のカバー部材５７と、カバー部材５７の支持穴５５に回動自在に挿入されて基端部が摘み３１と相対回転不能に接続される軸体５９と、カバー部材５７から突出した軸体５９に相対回転不能となって取り付けられる回動円板６１と、回動円板６１より大外径で形成され回動円板６１を表裏から挟んで軸体５９に回動自在となりかつ回動円板６１の周縁を表出させる窓部を有した空転部材６５とを設けた。【選択図】　　　図１
2004036081.tif 000002
【特許請求の範囲】
【請求項１】
扉の屋内面に当接して取り付けられる化粧リングと、該化粧リングから回動自在に突出した摘みとを有した既存サムターンを覆う後付け防犯サムターンであって、
前記扉の屋内面と前記化粧リングとの間に挟持される弧状板と、
該弧状板に係合手段を介して取り付けられることで前記既存サムターンを覆い、頂部に支持穴を有する略円錐筒状のカバー部材と、
該カバー部材の支持穴に回動自在に挿入されて基端部が前記摘みと相対回転不能に接続されるとともに前記カバー部材から抜脱不能とされる軸体と、
前記カバー部材から突出した前記軸体に相対回転不能となって同一中心で取り付けられる回動円板と、
該回動円板より大外径で形成され該回動円板を表裏から挟んで前記軸体に対し回動自在となりかつ前記回動円板の周縁を表出させる窓部を有した空転部材と、
を具備したことを特徴とする後付け防犯サムターン。
【請求項２】
請求項１記載の後付け防犯サムターンにおいて、
前記係合手段が、
前記弧状板に形成されたＬ字溝と、前記カバー部材に突設され該Ｌ字溝に係合する突起とからなることを特徴とする後付け防犯サムターン。
【請求項３】
請求項１記載の後付け防犯サムターンにおいて、
前記係合手段が、
前記カバー部材の内面と、該内面に対向する前記弧状板の外面とに形成される凸部と凹部の組み合わせで構成されることを特徴とする後付け防犯サムターン。
【請求項４】
請求項１，２又は３のいずれか１つに記載の後付け防犯サムターンにおいて、
前記カバー部材から外方へ突出した前記軸体の先端面に、回転位置表示手段が設けられたことを特徴とする後付け防犯サムターン。
【発明の詳細な説明】
【０００１】
【発明の属する技術分野】
本発明は、扉の施解錠操作に用いられる既存のサムターンを覆う後付け防犯サムターンに関する。
【０００２】
【従来の技術】
例えば扉に設けられる施錠装置は、屋外側に表出させたシリンダー錠の鍵孔に、合鍵（キー）を挿入して回動操作することにより、扉の木口より進退させたデッドボルトを扉枠に設けたストライクに係合・係合解除して施解錠を行うとともに、屋内側からは、サムターンの摘みを回動操作するのみで、デッドボルトを進退させて、扉の施解錠を簡便に行えるようにしている。
【０００３】
ところが、近年、ポスト口や、機械工具によって開けた小さな穴から針金等を挿入し、回転操作の容易なサムターンに係止して回転させ、施錠装置を解錠する不正解錠が増えている。このようなサムターンに針金等を係止して回転させることを防止するものに例えば実公平４−４０３６２号公報に開示されるサムターン用防犯カバーがある。
【０００４】
この防犯カバー１は、図４，図５に示すように、サムターン２が嵌入する嵌入孔３が形成されているとともに、回転時に円状軌跡２ｂを描くサムターン２の外面２ａを覆う部分が、円状軌跡に沿う円形状に形成されている。そして、嵌入孔３内に螺入してサムターン２の側面に当接し、両側から挟持するセットスクリュー４，４が設けられている。
このような構成からなる防犯カバー１は、嵌入孔３にサムターン２を挿入することで、サムターン２に防犯カバー１を覆うように被せる。その後セットスクリュー４，４を螺入させて締め付けることで、防犯カバー１をサムターン２に固定する。従って、サムターン２に被せた防犯カバー１によって、針金等を係止させて回転させることが難しくなる。
【０００５】
また、上記した防犯カバーの別態様として、図６に示すように、防犯カバー１を、取付部５及び本体部６から構成したものが開示されている。取付部５は、上記の防犯カバー１の外形を手での操作が容易となるように形成し、本体部６が係止する係止突部５ａを設けている。取付部５は、サムターン２に被せた状態で、サムターン２を容易に回転させることができる。また、本体部６は、係止突部５ａに係止可能な係止部６ａを有している。このようにすることで、係止作業という簡単な作業で、防犯カバー１の着脱が行える。さらに係止部６ａで本体部６が空転することにより、針金等を係止させて回転させることが不可能となる。
【０００６】
さらに、上記した防犯カバーの別態様として、図７に示すように、係止部６ａ内に、係止突部５ａとの間にバネ部材８を設け、本体部６側の外周縁に複数の係合凹部５ｂと、この係合凹部５ｂに係合可能な係合凸部６ｂとを設けたものが開示されている。
このような構成とすれば、本体部６を常に取り付けたままとしておくことができる。すなわち、常時は係止突部５ａと係止部６ａとで本体部６が空転し、サムターン２を回転させたいときは、本体部６を手で押圧し、係合凸部６ｂを取付部５の係合凹部５ｂに係合させ、この係合状態のまま本体部６を回転させることにより、サムターン２を回転させることができた。
【０００７】
【発明が解決しようとする課題】
しかしながら、図４，図５に示された防犯カバーは、外形が円筒体形状であるため、サムターンに被せた場合、本来小判形状であることからその回転位置によって視認できたサムターンの施錠状態又は非施錠状態を視認不能にしてしまい、施解錠の操作性を低下させる問題があった。
【０００８】
また、図６に示された防犯カバーは、サムターンを回転操作可能にする取付部と、この取付部に対し空転しかつ着脱可能となる本体部とから構成されているため、脱着した本体部の保管管理が煩雑となり、本体部を紛失する虞もあった。
【０００９】
さらに、図７に示された防犯カバーは、本体部を常に取り付けたままとできるので、本体部の紛失はなくなるが、サムターンの回転操作時には本体部を手で押圧しながら回転させなければならないため、操作性を低下させた。
【００１０】
本発明は上記状況に鑑みてなされたもので、その第一の目的は、針金や棒等によるサムターンの回転を阻止できるとともに、着脱部材を不要にし、しかも、従来同様の回転のみによる操作が可能となる後付け防犯サムターンを提供し、もって、防犯性、操作性の向上を図ることにある。また、その第二の目的は、サムターンの回転位置が容易に視認できる後付け防犯サムターンを提供し、もって、操作性の向上を図ることにある。
【００１１】
【課題を解決するための手段】
次に、上記の課題を解決するための手段を、実施の形態に対応する図面を参照して説明する。
この発明の請求項１記載の後付け防犯サムターン２１は、扉２５の屋内面２５ａに当接して取り付けられる化粧リング３７と、該化粧リング３７から回動自在に突出した摘み３１とを有した既存サムターン２３を覆う後付け防犯サムターン２１であって、
前記扉２５の屋内面２５ａと前記化粧リング３７との間に挟持される弧状板５１と、
該弧状板５１に係合手段５３を介して取り付けられることで前記既存サムターン２３を覆い、頂部に支持穴５５を有する略円錐筒状のカバー部材５７と、
該カバー部材５７の支持穴５５に回動自在に挿入されて基端部が前記摘み３１と相対回転不能に接続されるとともに前記カバー部材５７から抜脱不能とされる軸体５９と、
前記カバー部材５７から突出した該軸体５９に相対回転不能となって同一中心で取り付けられる回動円板６１と、
該回動円板６１より大外径で形成され該回動円板６１を表裏から挟んで前記軸体５９に対して回動自在となりかつ前記回動円板６１の周縁を表出させる窓部６３を有した空転部材６５と、
を具備したことを特徴とする。
【００１２】
この後付け防犯サムターン２１では、既存サムターン２３がカバー部材５７によって覆われ、既存サムターン２３の摘み３１が回動円板６１によって操作可能となり、回動円板６１には、回動円板６１の一部を表出する空転部材６５が被される。従って、針金や棒等を用いても回動円板６１は滑りにより、また、空転部材６５は空回りにより摘み３１へ回転力を伝達しない。そして、摘み３１の操作時には、空転部材６５と共に窓部６３から表出した回動円板６１を摘むことで、従来同様の回転操作のみにより施解錠操作することが可能となる。
【００１３】
請求項２記載の後付け防犯サムターン２１は、請求項１記載の後付け防犯サムターン２１において、
前記係合手段５３が、
前記弧状板５１に形成されたＬ字溝５１ｃと、前記カバー部材５７に突設され該Ｌ字溝５１ｃに係合する突起５７ａとからなることを特徴とする。
【００１４】
この後付け防犯サムターン２１では、扉２５の屋内面２５ａと化粧リング３７との間に弧状板５１を挟着し、この弧状板５１のＬ字溝５１ｃに、カバー部材５７の突起５７ａを一致させてカバー部材５７を回転することにより、Ｌ字溝５１ｃに突起５７ａが係合し、弧状板５１とカバー部材５７とが容易に取り付けることができ、かつ離脱不能となる。
【００１５】
請求項３記載の後付け防犯サムターン２１は、請求項１記載の後付け防犯サムターン２１において、
前記係合手段が、
前記カバー部材５７の内面と、該内面に対向する前記弧状板５１の外面とに形成される凸部９１と凹部９３の組み合わせで構成されることを特徴とする。
【００１６】
この後付け防犯サムターン２１では、例えば、弧状板５１に凹部９３を形成し、カバー部材５７に凸部９１を形成する構成とすれば、扉２５の屋内面２５ａと化粧リング３７との間に弧状板５１を挟着し、この弧状板５１の凹部９３に、カバー部材５７の凸部９１を押込めば、凹部９３に凸部９１がワンタッチで係合し、弧状板５１とカバー部材５７とが簡便に取り付けることができ、かつ離脱不能となる。
【００１７】
請求項４記載の後付け防犯サムターン２１は、請求項１，２又は３のいずれか１つに記載の後付け防犯サムターン２１において、
前記カバー部材５７から外方へ突出した前記軸体５９の先端面に、回転位置表示手段５９ｅが設けられたことを特徴とする。
【００１８】
この後付け防犯サムターン２１では、カバー部材５７に覆われることで視認できなくなった摘み３１の回転位置が、回転位置表示手段５９ｅを介して知ることができ、施錠及び解錠の操作性が向上する。
【００１９】
【発明の実施の形態】
以下、本発明に係る後付け防犯サムターンの好適な実施の形態を図面を参照して詳細に説明する。
図１は本発明に係る後付け防犯サムターンを既存サムターンと共に表した縦断面図、図２は図１に示した後付け防犯サムターンの分解斜視図、図３は図２に示したカバー部材と弧状板との変形例を断面視（ａ）、側面視（ｂ）で表した説明図である。
【００２０】
まず、本実施の形態による後付け防犯サムターン２１の説明に先立ち、後付け防犯サムターン２１によって覆われることとなる既存サムターン２３について説明する。
図１に示すように、扉２５には図示しない錠箱が設けられ、この錠箱にはラッチボルト，デッドボルト，及びこれらを扉２５の木口から進退させる錠箱機構部を内設している。
扉２５は屋内側の面である屋内面２５ａに既存サムターン２３を突設している。上記した錠箱のデッドボルトは、扉２５の屋外側の面に設けたシリンダー錠をキーによって、又はこの既存サムターン２３の摘み３１を回動することによって扉２５の木口から進退可能となる。
【００２１】
既存サムターン２３は、筒状支持部２７と、筒状支持部２７に嵌挿されるサムターン軸２９と、サムターン軸２９と相対回転不能に連結、若しくはこのサムターン軸２９と一体に形成される摘み３１と、筒状支持部２７の先端部に外嵌される飾り筒３３と、飾り筒３３に外嵌され、筒状支持部２７に外挿されたコイルバネ３５によって屋内面２５ａに押付けられる略円錐形状の化粧リング３７とを主要な構成部材として有している。
【００２２】
筒状支持部２７は、略円筒形に形成されている。筒状支持部２７の後端部２７ａには、軸線に直交方向の一対の凸部３９，３９が外周の上下に設けられている。これら凸部３９，３９には固定穴４１が形成されている。筒状支持部２７の後端部は、屋内面２５ａに穿設した挿入穴２５ｂに挿入され、扉２５内に設けた図示しない錠箱にこの固定穴４１を介して固定される。これにより、筒状支持部２７は、錠箱に回動不能に固定され、この錠箱を介して扉２５の屋内面２５ａ側に固設されることになる。
【００２３】
筒状支持部２７の先端は、屋内面２５ａより突出し、その外周には、先端側を切除した略円錐状の化粧リング３７を、先端部が筒状支持部２７の先端となるように取り付けている。また、筒状支持部２７の先端には、飾り筒３３が設けられ、筒状支持部２７の先端面を覆っている。
【００２４】
サムターン軸２９は、基端部が断面十字形状の入力部４３となり、この入力部４３が図示しない錠箱機構部の入力軸に相対回転不能に嵌入される。サムターン軸２９は、筒状支持部２７に挿通支持され、図示しないＥリングなどの移動規制部材が取り付けられて、筒状支持部２７に対して抜脱が規制され、回動自在に支持される。サムターン軸２９の先端部は、飾り筒３３の先端面から突出する摘み３１に相対回転不能に連結される。従って、既存サムターン２３は、摘み３１が回動されることで、サムターン軸２９を介して入力部４３により錠箱機構部内が操作され、デッドボルトが扉２５の木口から進退するようになっている。
【００２５】
本実施の形態による後付け防犯サムターン２１は、この既存サムターン２３に後付けすることができる。
後付け防犯サムターン２１は、屋内面２５ａと化粧リング３７との間に挟持される弧状板５１と、この弧状板５１に後述の係合手段５３を介して取り付けられることで既存サムターン２３を覆い、平坦に形成された頂部に支持穴５５を有する略円錐筒状のカバー部材５７と、このカバー部材５７の支持穴５５に回動自在に挿入されて基端部が摘み３１と相対回転不能に接続されるとともにカバー部材５７から抜脱不能となった軸体５９と、カバー部材５７から突出した軸体５９に相対回転不能となって同一中心で取り付けられた回動円板６１と、この回動円板６１より大外径で形成され回動円板６１を表裏から挟んで軸体５９に回動自在となりかつ回動円板６１の周縁６１ａを表出させる窓部６３（図２参照）を有した空転部材６５とを備えている。
【００２６】
弧状板５１は、略半円環状のフランジ部５１ａと、このフランジ部５１ａの外周に沿って立設された略半円筒状の側板部５１ｂを有する。側板部５１ｂの円周方向両端側には、一端が開放した係合手段５３の一方を構成するＬ字溝５１ｃと、一端が開放した直線溝５１ｄとが形成されている。
弧状板５１は、化粧リング３７をコイルバネ３５の付勢力に抗して屋内面２５ａから離反方向に移動させ、フランジ部５１ａを屋内面２５ａと化粧リング３７との間に挿入した後、再び化粧リング３７をコイルバネ３５の付勢力によって屋内面２５ａへ押付けることによって、フランジ部５１ａが挟持されて扉２５に固定される。
【００２７】
カバー部材５７の内周面にはＬ字溝５１ｃ，直線溝５１ｄに対応して係合手段５３の他方を構成する一対の突起５７ａが設けられ、一対の突起５７ａはＬ字溝５１ｃ，直線溝５１ｄへ進入可能となっている。したがって、カバー部材５７は、化粧リング３７に挟持された弧状板５１に対し、各突起５７ａをＬ字溝５１ｃ，直線溝５１ｄに進入させた後、例えば図２の反時計回りに回すことで、突起５７ａがＬ字溝５１ｃ、直線溝５１ｄに係合し、弧状板５１を介して扉２５に容易に固定されるようになっている。
【００２８】
摘み３１には、摘片３１ａに連結部材６７が取り付けられる。連結部材６７は、後面側に、摘片３１ａを挿入するスリット６７ａが形成され、前面側に、軸体５９の基端と連結する略方形箱状の連結部６７ｂが形成されている。連結部６７ｂの両側面には、係合孔６７ｅが穿設されている。
【００２９】
軸体５９は、基端に、スリット溝５９ａが形成され、このスリット溝５９ａの内側に連結部材６７の連結部６７ｂが嵌入するようになっている。また、軸体５９の外周には、軸線方向に平行となって一対の回転規制溝５９ｃが形成されている。さらに、軸体５９の先端部は略円板状に拡径された頭部５９ｄとなり、この頭部５９ｄの先端面には回転位置表示手段５９ｅが設けられている。
【００３０】
回転位置表示手段５９ｅは、微小な凹凸による標示、印刷や刻印、あるいは部分的な着色による色分け等とされている。例えば、図２に示すように、解錠時では回転位置表示手段５９ｅは縦長状とされており、施錠する場合、すなわち、時計回り方向にサムターン軸２９を９０度回転させると、横長状となり、解錠時と施錠時とが容易に識別可能となっている。
【００３１】
空転部材６５は、碗状の後部材６５ａと前部材６５ｂとからなる。後部材６５ａと前部材６５ｂとは、中央部に軸体５９の挿通される貫通穴６９を有している。後部材６５ａは、碗部７１の曲面から突出して、貫通穴６９から曲面に沿って放射状に延在する複数、本実施の形態では４つの凸条部７３を有している。それぞれの凸条部７３は、碗部７１の裾から延出している。また、前部材６５ｂも同様に、碗部７５の曲面から突出して、貫通穴６９から曲面に沿って放射状に延在する複数、本実施の形態では４つの凸条部７７を有している。それぞれの凸条部７７は、碗部７５の裾から延出している。
【００３２】
後部材６５ａと前部材６５ｂとは、凸条部７３と凸条部７７との延出先端同士を嵌合することで一体に組み合わされる。このようにして組み合わされた後部材６５ａと前部材６５ｂとの間、すなわち、空転部材６５の内側には、回動円板６１が遊嵌される収容空間が形成される。また、空転部材６５は、凸条部７３，７７同士の周方向の間隙が窓部６３となって、収容空間を開放している。つまり、収容空間に収容される回動円板６１は、この窓部６３を介して周縁６１ａの一部が表出するようになっている。
【００３３】
軸体５９は、収容空間に回動円板６１を収容した空転部材６５に挿通される。回動円板６１には貫通穴６１ｂが形成され、貫通穴６１ｂには規制突起６１ｃが中心に向いて突設されている。従って、回動円板６１は、貫通穴６１ｂに軸体５９が挿通されるとともに、軸体５９の回転規制溝５９ｃに規制突起６１ｃを嵌合することで、軸体５９に対して相対回転が規制される。回動円板６１の外周面にはローレット６１ｄが形成され、窓部６３から表出した周縁６１ａが滑り難く摘めるようになっている。
【００３４】
空転部材６５と回動円板６１とを貫通した軸体５９は、頭部５９ｄによって空転部材６５の脱落を規制するとともに、基端部がカバー部材５７の支持穴５５に挿入され、スリット溝５９ａが連結部材６７の連結部６７ｂを挟持する。軸体５９には、軸線に直交方向の一対の係合孔５９ｆが穿設され、係合孔５９ｆはスリット溝５９ａに開口している。この係合孔５９ｆは、スリット溝５９ａが連結部６７ｂを挟持した状態で、連結部６７ｂの係合孔６７ｅと一致する。このようにして一致した係合孔５９ｆ及び係合孔６７ｅには、例えばＣ字状に形成された止め輪８１（図１参照）が嵌着される。
これにより、軸体５９は、連結部６７ｂと一体に固定されるとともに、止め輪８１がカバー部材５７の前壁５７ｂに当接して、カバー部材５７から抜脱しないようになっている。連結部材６７と軸体５９とは、止め輪８１に加え、両者に亘って設けた凹凸係合部８２（図１参照）によって係合されるものであってもよい。なお、軸体５９は、図１に示すワッシャー８４ａ，８４ｂにてもカバー部材５７に抜け止め支持される。
【００３５】
これにより、カバー部材５７には、軸体５９を介して、空転部材６５，回動円板６１，連結部材６７が一体に組み付けられることになる。そして、これら諸部材を組付けたカバー部材５７は、上述のようにして、弧状板５１に取り付けられることになる。
【００３６】
次に本実施の形態の動作について説明する。
まず、屋内側から施錠する場合について説明する。
操作者は、窓部６３から表出している回動円板６１の周縁６１ａを摘む。このとき、摘んだ手指は、空転部材６５も同時に摘むこととなっても良い。
【００３７】
摘んだ手を捻って回動円板６１を例えば時計回りに回転させると、軸体５９，摘み３１もそれに伴って回動する。そして、例えば９０度回動されると、サムターン軸２９の入力部４３により錠箱機構部内が操作され、デッドボルトが扉２５の木口に進出する。
【００３８】
これにより屋内側から扉２５が施錠される。このとき、軸体５９の頭部５９ｄの回転位置表示手段５９ｅは横長になっており、屋内側から施錠されていることが視認される。
【００３９】
なお、回動円板６１の周縁６１ａを摘んだ指が回動円板６１の回動に伴って凸条部７３，凸条部７７の側部に当接し、これによって、空転部材６５は回動円板６１と同方向に回転する。
【００４０】
次に、施錠状態から解錠するときは、凸条部７３及び凸条部７７同士の間から表出している回動円板６１の周縁６１ａを摘む。回動円板６１を反時計回り方向に回転させると、サムターン軸２９もそれに伴って回転する。回動円板６１が９０度回動されると、サムターン軸２９の入力部４３により錠箱機構部内が操作され、扉２５の木口に進出しているデットボルトが扉２５の木口から後退させられる。
【００４１】
これにより屋内側から扉２５が解錠される。このとき、軸体５９の頭部５９ｄの回転位置表示手段５９ｅは縦長になっており、屋内側から解錠されていることが視認される。
【００４２】
また、施錠時において、扉２５等に設けられた小窓を割り、或いは扉２５と扉枠の隙間から針金を差し入れて、外部より後付け防犯サムターン２１を不正に操作しようとする場合、回動円板６１に係止しようとしても円板形状であるために係止することができす、針金が円周方向に滑ることとなる。
【００４３】
また、針金が凸条部７３，凸条部７７に係止されようとしても、空転部材６５自身が軸体５９に対して回転自在であるため、空転部材６５が空転するのみであり、軸体５９及び摘み３１を回動させることができず、デッドボルトも進退しないこととなる。したがって、不正解錠を防止することができる。
【００４４】
このように、上記の後付け防犯サムターン２１によれば、既存サムターン２３がカバー部材５７によって覆われ、既存サムターン２３の摘み３１が回動円板６１によって操作可能となり、回動円板６１には、回動円板６１の一部を表出する空転部材６５が被される。従って、針金や棒等を用いても回動円板６１は滑りにより、また、空転部材６５は空回りにより摘み３１へ回転力を伝達しない。そして、摘み３１の操作時には、窓部６３から表出した回動円板６１を摘むことで、従来同様の回転操作のみにより施解錠操作することが可能となる。
【００４５】
そして、回動円板６１の外側に空転部材６５を設けたので、空転部材６５と共に、窓部６３から表出した回動円板６１を摘むことができ、回動円板６１のみを摘む場合に比べて、指が滑り難くなり、またこの回動操作により空転部材６５が回動円板６１とともに回動することから、操作者の操作感を得られ、操作性を良好にすることができる。
【００４６】
また、扉２５の屋内面２５ａと化粧リング３７との間に弧状板５１を挟着し、この弧状板５１のＬ字溝５１ｃに、カバー部材５７の突起５７ａを一致させてカバー部材５７を回転することにより、Ｌ字溝５１ｃに突起５７ａが係合し、弧状板５１とカバー部材５７とを容易に、離脱不能に取り付けることができる。
【００４７】
さらに、カバー部材５７に覆われることで視認できなくなった摘み３１の回転位置が、回転位置表示手段５９ｅを介して知ることができ、操作性を向上させることができる。
【００４８】
なお、上述した実施の形態では、凸条部７３，凸条部７７を周方向に４つ形成することとしたが、４つに限定されることはなく、例えば、１個〜３個であってもよく、また５個以上であってもよい。この場合、凸条部７３，凸条部７７の間隔は、回動円板６１が指に摘まれて回動操作可能となる程度の間隔であればよい。
【００４９】
また、上記の実施の形態では、係合手段５３が、カバー部材５７の内面に突設した突起５７ａと、弧状板５１に形成したＬ字溝５１ｃ及び直線溝５１ｄである場合を例に説明したが、この他、係合手段は、図３に示すように、カバー部材５７の内周後部に突設した凸部９１と、弧状板５１に形成されこの凸部９１が進入する凹部９３とからなるものなど、これら凸部９１と凹部９３との組み合わせの構成であってもよい。このような係合手段によれば、扉２５の屋内面２５ａと化粧リング３７との間に弧状板５１を挟着し、この弧状板５１の凹部９３に、カバー部材５７の凸部９１を押込めば、凹部９３に凸部９１がワンタッチで係合し、弧状板５１とカバー部材５７とを簡便に離脱不能に取り付けできる。
【００５０】
【発明の効果】
以上説明したように、本発明に係る請求項１記載の後付け防犯サムターンによれば、既存サムターンがカバー部材によって覆われ、既存サムターンの摘みが回動円板によって操作可能となり、回動円板には、回動円板の一部を表出する空転部材が被されるので、針金や棒等を用いても回動円板は滑りにより、また、空転部材は空回りによりサムターンへの回転力の入力を阻止することができる。そして、サムターンの操作時には、窓部から表出した回動円板を摘むことで、従来同様の回転操作のみにより施解錠操作することができる。この結果、着脱部材を不要にし、防犯性、操作性を向上させることができる。
【００５１】
請求項２記載の後付け防犯サムターンによれば、係合手段を、弧状板に形成したＬ字溝と、カバー部材に形成した突起とで構成したので、扉の屋内面と化粧リングとの間に弧状板を挟着し、この弧状板のＬ字溝に、カバー部材の突起を一致させてカバー部材を回転すれば、Ｌ字溝に突起が係合し、弧状板とカバー部材との取り付け作業が容易なものとなり、これらが離脱不能に取り付けが可能となる。これにより、既存サムターンに対して簡便に防犯性を高める構成を得ることが可能となる。
【００５２】
請求項３記載の後付け防犯サムターンによれば、係合手段を、凹部と凸部の組み合わせの構成し、これらを弧状板とカバー部材とに設けたので、扉の屋内面と化粧リングとの間に弧状板を挟着し、凹部に対し凸部を押込めば、凹部に凸部がワンタッチで係合し、弧状板とカバー部材とが容易に取り付けることができ、離脱不能となる。これにより、後付け防犯サムターン全体を簡便に扉の屋内面に取り付けることができ、既存サムターンに対して簡便に防犯性を高める構成を得ることが可能となる。
【００５３】
請求項４記載の後付け防犯サムターンによれば、軸体の先端面に回転位置表示手段を設けたので、カバー部材に覆われることで視認できなくなった摘みの回転位置を、回転位置表示手段を介して知ることができ、施錠及び解錠の操作性を向上させることができる。
【図面の簡単な説明】
【図１】本発明に係る後付け防犯サムターンを既存サムターンと共に表した縦断面図である。
【図２】図１に示した後付け防犯サムターンの分解斜視図である。
【図３】図２に示したカバー部材と弧状板との変形例を断面視（ａ）、側面視（ｂ）で表した説明図である。
【図４】従来の防犯カバーの扉への取り付け状態を示す斜視図である。
【図５】図４に示した防犯カバーの内部状態を表す断面図である。
【図６】図４に示した防犯カバーの別態様を表す部分破断側面図である。
【図７】図４に示した防犯カバーのさらに別態様を表す部分破断側面図である。
【符号の説明】
２１…後付け防犯サムターン
２３…既存サムターン
２５…扉
２５ａ…屋内面
３１…摘み
３７…化粧リング
５１…弧状板
５１ｃ…係合手段（Ｌ字溝）
５３…係合手段
５５…支持穴
５７…カバー部材
５７ａ…係合手段（突起）
５９…軸体
５９ｅ…回転位置表示手段
６１…回動円板
６３…窓部
６５…空転部材
９１…係合手段（凸部）
９３…係合手段（凹部）
【図１】
2004036081.tif 000003
【図２】
2004036081.tif 000004
【図３】
2004036081.tif 000005
【図４】
2004036081.tif 000006
【図５】
2004036081.tif 000007
【図６】
2004036081.tif 000008
【図７】
2004036081.tif 000009